(57)【要約】  【課題】  セラミック端子の破損を防止するとともに、電子装置内部の気密信頼性を向上させ電子部品の作動性を良好なものとできるセラミック部材の接合構造ならびにこれを用いた電子部品収納用パッケージおよび電子装置を得ること。  【解決手段】  セラミック部材の接合構造は、金属基体１の両主面間を貫通するように貫通孔１ａを形成するとともに、貫通孔１ａに多角柱状のセラミック部材５を挿通させ、貫通孔１ａの内面とセラミック部材５の側面とを金属接合材11によって貫通孔１ａの内部で接合して成るセラミック部材５の接合構造であって、貫通孔１ａの内面とセラミック部材５との間に、セラミック部材５の一側面と連続的に配置される第１の側面10ｂ、および一側面５ｄに隣接するセラミック部材５の他の側面５ｅに対向配置されて接合される第２の側面10ａを有した金属部材が配設されている【選択図】  図１
2006237240.tif 000002
【特許請求の範囲】
【請求項１】
金属基体の両主面間を貫通するように貫通孔を形成するとともに、該貫通孔に多角柱状のセラミック部材を挿通させ、前記貫通孔の内面と前記セラミック部材の側面とを金属接合材によって前記貫通孔の内部で接合して成るセラミック部材の接合構造であって、前記貫通孔の内面と前記セラミック部材との間に、前記セラミック部材の一側面と連続的に配置される第１の側面、および前記一側面に隣接する前記セラミック部材の他の側面に対向配置されて接合される第２の側面を有した金属部材が配設されていることを特徴とするセラミック部材のロウ付け構造。
【請求項２】
前記金属部材は、隣接する側面間に形成されている各角部に配設されていることを特徴とする請求項１に記載のセラミック部材の接合構造。
【請求項３】
前記セラミック部材は、前記セラミック部材の内部に前記セラミック部材の両端部間を接続する線路導体が形成されているセラミック端子であるとともに、該セラミック端子が、請求項１または請求項２に記載のセラミック部材の接合構造を用いて前記金属基体に接合されており、前記金属基体の一主面側に電子部品が搭載される搭載部を有し、かつ電子部品を気密封止するように蓋体が接合されることを特徴とする電子部品収納用パッケージ。
【請求項４】
請求項３に記載の電子部品収納用パッケージと、該電子部品収納用パッケージの内部に搭載されるとともに前記線路導体に接続手段を介して電気的に接続された前記電子部品と、該電子部品の収納領域を気密封止するように前記電子部品収納用パッケージに接合された蓋体とから成ることを特徴とする電子装置。
【発明の詳細な説明】
【技術分野】
【０００１】
本発明は、セラミック部材の接合構造ならびにこれをセラミック端子に用いた電子部品を収納するための電子部品収納用パッケージおよび電子装置に関する。
【背景技術】
【０００２】
信号入出力部にセラミック端子を設け、電子部品として半導体レーザ（ＬＤ）等の光半導体素子または高周波増幅用の半導体素子等を気密に収容する従来の電子装置を、光半導体装置を例にして図５に断面図で示す。図５において、101は金属基体、102は電子部品、105はセラミック入出力端子、106は光ファイバである。
【０００３】
図５の電子装置は、平板状の金属基体101と、上端面103ａの中央部に貫通穴103ｂが形成されているとともに下端103ｃが開かれた筒状であり、金属基体101の上側主面の外周部に下端103ｃが接合された金属製の蓋体103と、貫通穴103ｂの上端面103ａ側開口の周囲に接合された透光性部材104とを具備し、金属基体101の上下主面間を貫通するように形成された貫通孔101ａに、上面に一辺から対向する他辺にかけて線路導体105ｃが形成された誘電体から成る平板部105ｂおよび平板部105ｂの上面に線路導体105ｃを間に挟んで接合された誘電体から成る立壁部105ａから成るセラミック端子105が金属板110に載置された状態で嵌着されており、金属板110の光半導体装置内側の先端に電子部品102が載置されている構成である。
【０００４】
金属基体101は、円板状、長方形等の平板状であり、鉄（Ｆｅ）−ニッケル（Ｎｉ）−コバルト（Ｃｏ）合金や銅（Ｃｕ）−タングステン（Ｗ）合金等の金属から成る。この金属基体101には、アルミナ（Ａｌ２Ｏ３）質セラミックス等の誘電体から成る平板部105ｂおよびＡｌ２Ｏ３質セラミックス等の誘電体から成る立壁部105ａとを具備したセラミック端子105および平板部105ｂの下面に接合された金属板110とを挿入するために、金属基体101の両主面間を貫通する貫通孔101ａが設けられている。この貫通孔101ａに、電子装置内外を導通するセラミック端子105および金属板110を挿通し、セラミック端子105および金属板110と貫通孔101ａとの隙間に銀（Ａｇ）ロウ等のロウ材を充填させ、金属基体101とセラミック端子105および金属板110とをロウ付けして気密に接合する。ロウ付けする際、金属基体101，セラミック端子105，金属板110，およびロウ材のプリフォームを所定位置に設置した状態でロウ付け用の高温炉に投入し、加熱してロウ材を溶融させ、ロウ材が完全に溶融した後に高温炉から取り出して冷却させることで、金属基体101とセラミック端子105および金属板110とを気密に接合することが可能となる。
【０００５】
ここで、金属基体101とセラミック端子105および金属板110の材質の組合せは、高温炉における状態の熱膨張係数が近い材料の組合せが選択される。例えば、セラミック端子105がＡｌ２Ｏ３質セラミックスから成る場合、金属基体101および金属板110はＦｅ−Ｎｉ−Ｃｏ合金またはＣｕ−Ｗ合金等が選択される。
【０００６】
金属板110は、長方形であり、Ｆｅ−Ｎｉ−Ｃｏ合金やＣｕ−Ｗ合金等の金属から成る。この金属板110のセラミック端子105が接合された主面の電子装置内側の先端部には電子部品102が搭載されている。
【０００７】
金属板110に搭載された電子部品102は、その電極が線路導体105ｃの電子部品102側の先端とボンディングワイヤ等の電気的接続手段109を介して電気的に接続される。
【０００８】
この金属板110により、セラミック端子105の平板部105ｂの上面に形成した線路導体105ｃのインピーダンスを特性インピーダンスに整合させることができ、セラミック端子105の線路導体105ｃを伝送する信号が高周波になっても、高周波信号を効率よく伝送できる。同時に、電子部品102の熱を熱伝導率の高い金属板110を介して外部に効率よく放熱でき、電子部品102に蓄熱して温度が上昇するのを防止できる。
【０００９】
また、金属基体101の上側主面の外周部には、上端面103ａの中央部に貫通穴103ｂが形成され下端が開かれた筒状である蓋体103が設けられる。蓋体103の下端103ｃは、鉛（Ｐｂ）−錫（Ｓｎ）半田等の半田による半田付けや溶接等によって金属基体101と気密に接合される。
【００１０】
蓋体103は、断面形状（横断面形状）が円形または長方形等の多角形の筒状であり、Ｆｅ−Ｎｉ−Ｃｏ合金等の金属のインゴットに圧延加工や打ち抜き加工等の従来周知の金属加工法を施すことによって所定形状に製作される。なお、蓋体103は、筒状部と上端面103ａが個々に製作され、それらをロウ付け、半田付け、溶接等によって接合される場合もある。
【００１１】
蓋体103には、貫通穴103ｂを塞ぐように貫通穴103ｂの上端面103ａ側開口の周囲に、透光性部材104がガラス接合や半田付け等により気密に接合される。透光性部材104は、ガラスやサファイア等から成る円板状，レンズ状，球状または半球状等のものであり、球状の場合周縁部で、円板状やレンズ状の場合一主面の外周部で、半球状の場合平面部の外周部で蓋体103に接合される。
【００１２】
また、光ファイバ106は、Ｆｅ−Ｎｉ−Ｃｏ合金等の金属から成る円筒状の金属製固定部材107の上端面に固定されており、金属製固定部材107の下端面が蓋体103の外周面にレーザ溶接法等の溶接によって接合される。光ファイバ106が金属製固定部材107を介して透光性部材104の上方に固定されることによって、製品としての電子装置となる（例えば、下記の特許文献１参照）。
【００１３】
この電子装置は、電子部品102の電極を外部電気回路に電気的に接続し、外部電気回路から供給される電気信号によって電子部品102に光を励起させ、この光を透光性部材104、光ファイバ106の順に透過させ、光ファイバ106を介して外部に光信号を伝送することによって、高速光通信等に使用される電子装置として機能する。
【特許文献１】特開2003−198028号公報
【発明の開示】
【発明が解決しようとする課題】
【００１４】
しかしながら、特許文献１に示されるような従来の電子装置では、常温におけるセラミック端子105の熱膨張係数が金属基体101の熱膨張係数よりも大きい場合、ロウ付け接合するためにロウ付け用の高温炉に投入して接合用のロウ材を溶融接合させた後、高温炉から取り出し常温の状態に戻されると、セラミック端子105に金属基体101との熱膨張差による引張応力が作用し続ける状態となる。すなわち、製品としての電子装置において、セラミック端子105に金属基体101との熱膨張差による引張応力が残留応力となって作用し続ける状態となる。
【００１５】
特に、セラミック端子105の断面形状が長方形である場合、四隅の直角部が鋭角状に変形するように引っ張られて、四隅の直角部に大きな引張応力が作用し易い状態となる。
【００１６】
そして、セラミック端子105となるセラミックスが圧縮応力に対しては比較的強く、引張応力に対しては比較的弱いという性質を持つために、セラミック端子105の側面と金属基体101とが接合される部位、すなわち貫通孔101ａの内面とセラミック端子105の側面とに、特に立壁部105ａの上面側の角部および平板部105ｂの下面側の角部に引張応力が作用し続けて、時間が経つにつれクラック等の破損が発生してしまい易いという問題があった。
【００１７】
その結果、長期にわたって電子装置を使用すると、セラミック端子105のクラック等による破損によって気密信頼性が低下し、電子装置内部を気密に保持し続けることができなくなり、電子装置内部に収容する電子部品102を長期にわたって正常かつ安定に作動させることができなくなるという問題点があった。
【００１８】
近時では電子装置の小型集積化に伴い、セラミック端子105が小型化される傾向にあり、セラミック端子105自体の強度が低下する傾向にあるので、さらにセラミック端子に破損が発生し易く、電子装置内部に収容する電子部品102を長期にわたって正常かつ安定に作動させることができなくなるという問題が顕在化するようになってきた。
【００１９】
従って、本発明は上記問題点に鑑み完成されたもので、その目的は、セラミック端子の破損を防止するとともに、電子装置内部の気密信頼性を向上させ電子部品の作動性を良好なものとできるセラミック部材の接合構造ならびにこれを用いた電子部品収納用パッケージおよび電子装置を得ることにある。
【課題を解決するための手段】
【００２０】
本発明のセラミック部材の接合構造は、金属基体の両主面間を貫通するように貫通孔を形成するとともに、この貫通孔に多角柱状のセラミック部材を挿通させ、前記貫通孔の内面と前記セラミック部材の側面とを金属接合材によって前記貫通孔の内部で接合して成るセラミック部材の接合構造であって、前記貫通孔の内面と前記セラミック部材との間に、前記セラミック部材の一側面と連続的に配置される第１の側面、および前記一側面に隣接する前記セラミック部材の他の側面に対向配置されて接合される第２の側面を有した金属部材が配設されていることを特徴とする。
【００２１】
本発明のセラミック部材の接合構造において、好ましくは、前記金属部材は、隣接する側面間に形成されている各角部に配設されていることを特徴とする。
【００２２】
本発明の電子部品収納用パッケージは、前記セラミック部材は、前記セラミック部材の内部に前記セラミック部材の両端部間を接続する線路導体が形成されているセラミック端子であるとともに、該セラミック端子が、上記本発明のセラミック部材の接合構造を用いて前記金属基体に接合されており、前記金属基体の一主面側に電子部品が搭載される搭載部を有し、かつ電子部品を気密封止するように蓋体が接合されることを特徴とする。
【００２３】
本発明の電子装置は、上記本発明の電子部品収納用パッケージと、この電子部品収納用パッケージの内部に搭載されるとともに前記線路導体に接続手段を介して電気的に接続された前記電子部品と、この電子部品の収納領域を気密封止するように前記電子部品収納用パッケージに接合された蓋体とから成ることを特徴とする。
【発明の効果】
【００２４】
本発明のセラミック部材の接合構造は、金属基体の両主面間を貫通するように貫通孔を形成するとともに、この貫通孔に多角柱状のセラミック部材を挿通させ、貫通孔の内面とセラミック部材の側面とを金属接合材によって貫通孔の内部で接合して成り、貫通孔の内面とセラミック部材との間に、セラミック部材の一側面と連続的に配置される第１の側面、および一側面に隣接するセラミック部材の他の側面に対向配置されて接合される第２の側面を有した金属部材が配設されていることにより、金属基体が熱膨張する際に、貫通孔の四隅の直角部が鋭角状に変形するような歪みを生じて貫通孔内面に引張応力が生じても、セラミック部材の角部には金属部材および金属接合材が介在することになるので、セラミック部材の角部に直接この応力が作用することがない。従って、引張応力が残存しているセラミック部材の角部にクラックが発生しにくくなる。
【００２５】
さらに、セラミック部材と金属部材との間および金属部材と貫通孔の内面との間に設けられた金属接合材がそれぞれ適度に塑性変形して、セラミック部材と金属基体との熱膨張差による歪みを吸収し、セラミック部材に金属基体との熱膨張差による引張応力が残留応力となって作用し続けるということがなくなり、セラミック部材に作用する金属基体との熱膨張差による応力を緩和させることができる。
【００２６】
本発明のセラミック部材の接合構造において、好ましくは、金属部材は、隣接する側面間に形成されている各角部に配設されていることから、金属基体との熱膨張差による応力が最も大きく作用し易いセラミック部材の各角部において、セラミック部材と金属基体との熱膨張差による歪みは、各角部に配設された各金属部材と、金属部材と金属基体との間および金属部材とセラミック部材との間に位置する金属接合材が適度に変形することによって吸収され、セラミック部材に金属基体との熱膨張差による引張応力が残留応力となって作用し続けるということがなくなり、セラミック部材にクラック等の破損が発生するのを防止できる。
【００２７】
以上の結果、セラミック部材の破損をより有効に防止することができる。
【００２８】
本発明の電子部品収納用パッケージは、セラミック部材は、セラミック部材の内部にセラミック部材の両端部間を接続する線路導体が形成されているセラミック端子であるとともに、上記本発明のセラミック部材の接続構造を用いて、金属基体に接合されており、金属基体の一主面側に電子部品が搭載される搭載部を有し、かつ電子部品を気密封止するように蓋体が接合されることから、セラミック端子にクラック等の破損が発生するのを有効に防止でき、電子部品収納用パッケージを長期にわたって使用しても、セラミック端子の気密信頼性が良好なものとなるので、電子部品収納用パッケージ内部を気密に保持し続けることができる。その結果、電子部品収納用パッケージ内部に電子部品を収納しても、電子部品を長期にわたって正常かつ安定に作動させることができるようになる。
【００２９】
本発明の電子装置は、上記本発明の電子部品収納用パッケージと、電子部品収納用パッケージの内部に搭載されるとともに線路導体に接続手段を介して電気的に接続された電子部品と、電子部品の収納領域を気密封止するように電子部品収納用パッケージに接合された蓋体とから成ることから、上記構成の電子部品収納用パッケージを用いた気密信頼性が良好で、電子部品の作動性が良好なものとなる。従って、長期間にわたって作動性に優れた電子装置となる。
【発明を実施するための最良の形態】
【００３０】
本発明のセラミック部材の接合構造の一例として、本発明のセラミック部材の接合構造を用いたセラミック端子の接合構造ならびにこれを用いた電子部品収納用パッケージおよび電子装置の実施の形態例を図１，図２，図３および図４に示す。図１（ａ）は本発明の電子部品収容用パッケージおよび電子装置の実施の形態の一例を示す断面図、図１（ｂ）は図１（ａ）の電子装置の下面図、図２は本発明の電子部品収納用パッケージおよび電子装置の実施の形態の他の例を示す断面図、図３（ａ），（ｂ），（ｃ），（ｄ）は本発明の電子部品収納用パッケージおよび電子装置の実施の形態の他の例を示す下面図、図４（ａ）、（ｂ）は本発明の電子部品収納用パッケージおよび電子装置の実施の形態のさらに他の例を示す下面図である。なお、これらの図は、電子部品として光半導体素子を収納する場合を例として示すものである。また、以下の説明において、セラミック端子をセラミック部材の具体例として説明する。従って、セラミック部材をセラミック端子とも表すが、同じものを意味している。
【００３１】
以下、本発明のセラミック部材の接合構造について、これらの図を用いて、詳細に説明する。
【００３２】
図１，図２，図３および図４において、１は金属基体、２は電子部品、３は金属製の蓋体、４は透光性部材、５は本発明のセラミック部材の接合構造を用いて接合されたセラミック端子（セラミック部材）、６は光ファイバである。また、１ａは金属基体１の両主面間を貫通する貫通孔、10は金属部材である。
【００３３】
本発明のセラミック部材の接合構造は、金属基体１の両主面間を貫通するように貫通孔１ａを形成するとともに、貫通孔１ａに多角柱状、例えば図１のように四角柱状のセラミック端子５を挿通させ、貫通孔１ａの内面とセラミック端子５の側面とをロウ材等の金属接合材11によって貫通孔１ａの内部で接合して成り、貫通孔１ａの内面とセラミック端子５との間に、図１（ｂ）に示されるように、セラミック端子５の一側面５ｄと連続的に配置される第１の側面10ｂ、および一側面５ｄに隣接するセラミック端子５の他の側面５ｅに対向配置されて接合される第２の側面10ａを有した金属部材10が、セラミック端子５の隣接する側面間に形成されている角部に近接して貫通孔１ａの内面と金属接合材11によって接合された状態で配設されているものである。
【００３４】
本発明のセラミック部材の接合構造において、図１（ｂ）に示されるように、セラミック端子５の一側面５ｄと連続的に配置される第１の側面10ｂ、および一側面５ｄに隣接する他の側面５ｅに対向配置されて、他の側面５ｅの両端を覆う、セラミック端子５の他の側面５ｅと同じ幅の第２の側面10ａを有した金属部材10が配設されてもよいし、図３（ｂ）に示されるように、他の側面５ｅの両端の角部のみに対向配置されて接合される第２の側面10ａを有した金属部材10が配設されてもよい。
【００３５】
また、金属部材10は、セラミック端子５の広い側面側に対向配置されて接合されず、図３（ｃ）に示されるように、金属部材10の第２の側面10ａが、広い側面側（一側面５ｄ）と連続的に配置される第１の側面10ｂ、および一側面５ｄに隣接する他の側面５ｅ（狭い側面側）に対向配置されて第２の側面10ａがセラミック端子の他の側面５ｅ（狭い側面側）に接合されてもよい。
【００３６】
さらに、図１（ｂ），図３（ｂ）および図３（ｃ）の形態を組み合わせた図３（ａ）または図３（ｄ）の形態としてもよく、図４（ａ）に示されるように図３（ｃ）の形態の、セラミック端子５の一側面５ｄおよび金属部材10の第１の側面10ｂをさらに覆うように金属部材10を接合してもよく、図３（ｂ）の形態のセラミック端子５の一側面５ｄの一部および一側面５ｄと連続的に配置される金属部材10の第１の側面10ｂの、セラミック端子５と金属部材10との接合部をさらに覆うように金属部材10を接合してもよい。
【００３７】
このように金属部材10が配設されることにより、セラミック端子５の角部において、金属部材10が介在する形態となり、貫通孔１ａの四隅の直角部が鋭角状に変形するような熱応力が生じても、この変形を生じる引張応力がセラミック端子５の角部に直接作用することがない。その結果、クラックが生じやすいセラミック端子５の角部にクラック等の破損が生ずるのを有効に防止し、電子装置内部を気密に保持させることが可能となる。
【００３８】
好ましくは、金属部材10は、図１（ｂ），図３（ａ），図３（ｂ），図３（ｃ），図３（ｄ），図４（ａ），図４（ｂ）の各下面図におけるセラミック端子５の側面のうち、大きな面積を有する側面の中心に関して面対称に配置される図１（ｂ），図３（ａ），図３（ｂ），図３（ｃ），図４（ａ），図４（ｂ）であるのがよく、さらに、大きな面積を有して対向する２側面同士の中心に関しても面対称に配置される図１（ｂ），図３（ｂ），図３（ｃ），図４（ａ），図４（ｂ）が、セラミック端子５の周囲に配置される金属部材10の熱膨張に伴う熱応力をバランスさせやすいので好ましい。
【００３９】
また、好ましくは、金属部材10は、図３（ｂ），図３（ｃ），図３（ｄ）および図４（ｂ）に示されるように、セラミック端子５の側面の各角部にのみ配設されていることによって、セラミック端子５の金属部材10と接合される面積が最小限となり、セラミック端子５に作用する金属部材10との熱膨張差による応力を最小限に抑えることができる。
【００４０】
これによって、金属基体１との熱膨張差による応力が最も大きく作用し易いセラミック端子５の各角部において、セラミック端子５と金属基体１との熱膨張差による歪みは、各角部に配設された各金属部材10と、金属部材10と金属基体１との間および金属部材10とセラミック端子５との間に位置する金属接合材11とが適度に変形することによって吸収され、セラミック端子５に金属基体１との熱膨張差による引張応力が残留応力となって作用し続けるということがなくなり、セラミック端子５にクラック等の破損が発生するのを有効に防止できるとともに、セラミック端子５の金属部材10と接合される面積が最小限となり、セラミック端子５に作用する金属部材10との熱膨張差による応力を最小限に抑えることができる。その結果、セラミック端子５の破損をより有効に防止することができるので、好ましい。
【００４１】
また、特にセラミック端子５が、その幅が広く厚さが薄い形状である場合、セラミック端子５に金属部材10との熱膨張差による応力が大きく作用することがないので、セラミック端子５に折損等の破損が生じるのを防止できる。
【００４２】
本発明の電子部品収納用パッケージは、セラミック部材５が、セラミック部材５の内部にセラミック部材５の両端部間を接続する線路導体が形成されているセラミック端子５であるとともに、このセラミック端子５が、上記本発明のセラミック部材５の接合構造を用いて、電子部品収納用パッケージの外廓を構成する金属基体１に接合されており、金属基体１の一主面側（電子部品収納用パッケージの内側）に電子部品２が搭載される搭載部を有し、かつ電子部品２を気密封止するように蓋体３が接合されて成るものである。
【００４３】
セラミック端子５は、例えば図１に示される四角柱状のものであり、その両端部間を接続する線路導体５ｃが内部に形成されるとともに、線路導体５ｃの両端が露出され、導体が接続できるように構成される。
【００４４】
具体的には、セラミック端子５は、例えば、長方形で板状の上面の対向する辺の間に線路導体５ｃが形成された誘電体から成る平板部５ｂおよび平板部５ｂの上面に線路導体５ｃの一部を間に挟んで線路導体５ｃを横切るように接合された誘電体から成る立壁部５ａとから成る。
【００４５】
本発明の電子部品収納用パッケージは、図１（ａ）または図２（ａ）の他にも、図示しないが、金属基体１が例えば金属から成る枠体であって、上面に電子部品２が搭載される電子部品２の搭載部を有する金属基板の上面に、搭載部を取り囲むように設けられた、内部に電子部品２を収納する空所の外廓を構成する枠体の側面に設けられた貫通孔から成る取付部に、本発明のセラミック部材５の接合構造を用いてセラミック端子５が取り付けられたものでもよい。その他、金属から成る外廓を有する各種の電子部品収納用パッケージのように、金属基体１とセラミック部材５とを接合する部分に適用可能である。
【００４６】
本発明の電子装置は、上記本発明の電子部品収納用パッケージと、電子部品収納用パッケージの内部に搭載されるとともに線路導体５ｃに接続手段９を介して電気的に接続された電子部品２と、電子部品２の収納領域を気密封止するように電子部品収納用パッケージに接合された蓋体３とから成るものである。
【００４７】
光半導体素子を収納する電子装置は、例えば図１，図２，図３および図４に示されるように、金属基体１の上下主面間を貫通するように形成された平面視形状が長方形の貫通孔１ａの内面に、上面に一辺から対向する他辺にかけて線路導体５ｃが形成された誘電体から成る平板部５ｂおよび平板部５ｂの上面に線路導体５ｃを間に挟んで接合された誘電体から成る立壁部５ａから成り、常温における熱膨張係数が金属基体１よりも大きいセラミック端子５の側面が貫通孔１ａの内面に金属接合材11を介して接合されて成り、少なくとも平板部５ｂの下面および立壁部５ａの上面または平板部５ｂおよび立壁部５ａの両側面の端部のいずれかの角部に金属部材10が接合されるとともに、金属部材10と金属基体１との間、および金属部材10とセラミック端子５との間とがロウ材等の金属接合材11により接合されて嵌着されており、セラミック端子５の電子装置内側の先端に電子部品２が載置されているものである。
【００４８】
なお、図１（ａ）の形態において、セラミック端子５の平板部５ｂの上面と電子部品２の電極が形成された面とができるだけ面一に近いのが好ましい。この場合、電子部品２の電極と線路導体５ｃとを接続するボンディングワイヤ９の長さが最短化されるとともに、そのインダクタンスも小さくなる。また、ボンディングワイヤ９を使用せずに、板状の金属片で接続することもできる。板状の金属片であればさらにインダクタンスが小さくなり、また金属片においてインピーダンスを調整することもできる。
【００４９】
金属基体１は、円板状、長方形等の平板状であり、Ｆｅ−Ｎｉ−Ｃｏ合金やＣｕ−Ｗ合金等の金属から成り、そのインゴットに圧延加工や打ち抜き加工等の従来周知の金属加工法を施すことによって所定形状に製作される。この金属基体１には、Ａｌ２Ｏ３質セラミックス等の誘電体から成る平板部５ｂおよびＡｌ２Ｏ３質セラミックス等の誘電体から成る立壁部５ａとを具備したセラミック端子５および立壁部５ａの上面と平板部５ｂの下面にそれぞれ接合される金属部材10とを挿入するために、金属基体１の上下主面間を貫通する貫通孔１ａが設けられている。この貫通孔１ａに、光半導体装置内外を導通するセラミック端子５および金属部材10を挿通し、セラミック端子５および金属部材10と貫通孔１ａとの隙間に金属接合材11、例えば銀（Ａｇ）ロウ，Ａｇ−Ｃｕロウ等のロウ材を充填させ、金属基体１とセラミック端子５および金属部材10とを接合して気密に接合する。
【００５０】
セラミック端子５および金属部材10と貫通孔１ａとの接合は、金属部材10と金属基体１の貫通孔１ａの内面との間、および金属部材10とセラミック端子５との間にロウ材等の金属接合材11のプリフォームを設置して、この状態の金属基体１，セラミック端子５および金属部材10の組立体を高温炉に投入して接合用の金属接合材11を溶融させ、金属接合材11が完全に溶融した後に高温炉から取り出して冷却させることによって実現される。その結果、金属基体１とセラミック端子５および金属部材10とを気密に接合することが可能となる。
【００５１】
金属接合材11としては、この他にも金属基体１，セラミック端子５および金属部材10の融点より低く縦弾性係数が小さな金属、例えば銅（Ｃｕ），銀（Ａｇ），アルミニウム（Ａｌ）等を主成分とする金属を溶融させて、貫通孔１ａの中のセラミック端子５および金属部材10の間に注入してセラミック端子５，金属部材10および金属基体１を接合させたり、金属部材10および金属接合材11による金属接合層となる空間を貫通孔１ａの中に設けておき、金属部材10となる上記のような金属を溶融させてから注入して固化させることにより、金属部材10を所定形状に形成させるとともにセラミック端子５および金属基体１を接合させたりしてもよい。
【００５２】
ここで、金属基体１とセラミック端子５の常温（10℃〜30℃）における熱膨張係数は、金属基体１よりもセラミック端子５の方が大きくなっている。このような関係となる金属基体１とセラミック端子５との組合せの例として、金属基体１がＦｅ−Ｎｉ−Ｃｏ合金（25℃における熱膨張係数が5.5×10−６）から成り、セラミック端子５がＡｌ２Ｏ３質セラミックス（25℃における熱膨張係数が６×10−６）から成る場合が挙げられる。
【００５３】
なお、金属基体１は、その表面に耐蝕性に優れかつ金属接合材11との濡れ性に優れる金属、具体的には厚さ0.5〜９μｍのＮｉ層と、厚さ0.5〜５μｍのＡｕ層とを順次メッキ法により被着させておくのがよく、金属基体１が酸化腐食するのを有効に防止できる。
【００５４】
また、セラミック端子５を構成する平板部５ｂおよび立壁部５ａは以下のようにして作製される。例えば、Ａｌ２Ｏ３質セラミックスから成る場合、先ず酸化アルミニウム，酸化珪素（ＳｉＯ２），酸化マグネシウム（ＭｇＯ）および酸化カルシウム（ＣａＯ）等の原料粉末に適当な有機バインダー，可塑剤，溶剤等を添加混合して泥漿状と成す。これを従来周知のドクターブレード法やカレンダーロール法等のテープ成形技術により複数のセラミックグリーンシートを得る。
【００５５】
次に、このセラミックグリーンシートに、タングステン（Ｗ）やモリブデン（Ｍｏ）等の高融点金属粉末に適当な有機バインダー，可塑剤，溶剤等を添加混合して得た金属ペーストを、スクリーン印刷法等の厚膜形成技術により印刷塗布して、線路導体５ｃとなるメタライズ配線層を所定パターンに形成する。また、立壁部５ａの上面および平板部５ｂの下面の金属部材10がＡｇロウ等の金属接合材11により接合される箇所には金属部材10を接合できるように、また立壁部５ａと平板部５ｂの側面の、金属基体１の貫通孔１ａの内面とＡｇロウ等の金属接合材11により接合される箇所には金属基体１を接合できるように、メタライズ層となる金属ペーストを印刷塗布しておくのがよい。その後、セラミックグリーンシートを複数枚積層し、これを還元雰囲気中、約1600℃の温度で焼成することにより製作される。このようにして、特性インピーダンスに整合された線路導体５ｃを有するセラミック端子５が形成される。
【００５６】
線路導体５ｃの金属基体１外側の部位には、外部電気回路とセラミック端子５との高周波信号の入出力を行なう、例えば、Ｆｅ−Ｎｉ−Ｃｏ合金等の金属から成るリード端子（図示せず）がＡｇロウ等の金属接合材11で接合されていてもよい。
【００５７】
なお、セラミック端子５に形成された線路導体５ｃや接地導体となるメタライズ層には、金属基体１と同様に厚さ0.5〜９μｍのＮｉ層や厚さ0.5〜５μｍのＡｕ層等の金属層をメッキ法により被着させておくと、メタライズ層表面の酸化を有効に防止できる。
【００５８】
金属部材10は例えば直方体であり、Ｆｅ−Ｎｉ−Ｃｏ合金，Ｆｅ−Ｎｉ合金，Ｃｕ−Ｗ合金，Ｃｕ−Ｍｏ合金，Ｃｕ等の金属から成り、そのインゴットに圧延加工や打ち抜き加工等の従来周知の金属加工法を施すことによって所定形状に製作される。この構成により、金属部材10と金属基体１との間、および金属部材10とセラミック端子５との間が金属接合材11により接合されていることにより、金属接合材11の冷却後、常温の状態となって、セラミック端子５に金属基体１との熱膨張差による引張応力が作用しても、セラミック端子５の四隅の直角の角部に大きな引張応力が作用するのを防止することができる。
【００５９】
さらに、セラミック端子５と金属部材10との間および金属部材10と貫通孔１ａの内面との間に設けられた金属接合材11が適度に塑性変形して、セラミック端子５と金属基体１との熱膨張差による歪みを吸収し、セラミック端子５に金属基体1との熱膨張差による引張応力が残留応力となって作用し続けるということがなくなり、セラミック端子５に作用する金属基体１との熱膨張差による応力を緩和させることができる。
【００６０】
また、金属部材10にも金属基体１と同様に厚さ0.5〜９μｍのＮｉ層や厚さ0.5〜５μｍのＡｕ層等の金属層をメッキ法により被着させておくと金属部材10表面の酸化を有効に防止できる。
【００６１】
好ましくは、金属部材10の耐力（ＪＩＳ  Ｇ0202  1164参照）は金属基体１の耐力未満であるのがよく、この構成により、セラミック端子５と金属部材10との間および金属部材10と貫通孔１ａの内面との間に設けられた金属接合材11だけでなく、金属部材10も変形し易くなり、セラミック端子５と金属基体１との熱膨張差による歪みをより確実に吸収し、セラミック端子５に金属基体1との熱膨張差による引張応力が残留応力となって作用し続けるのを有効に防止することができる。そして、セラミック端子５に作用する金属基体との熱膨張差による応力をさらに緩和させることができる。
【００６２】
例えば、金属基体１がＦｅ−Ｎｉ−Ｃｏ合金（耐力279.3ＭＰａ）から成る場合、金属部材10の耐力は、この金属基体１およびセラミック端子５の引張強度の大きさ未満とするのがよく、このような金属部材10の例としては、Ｃｕ（耐力112.7ＭＰａ），Ｆｅ（耐力98ＭＰａ），Ｎｉ（耐力58ＭＰａ），Ａｌ（耐力15ＭＰａ），チタン（Ｔｉ）（耐力170ＭＰａ）等の金属およびこれらの合金等が挙げられる。
【００６３】
このようにして、セラミック端子５と金属基体１との熱膨張差による歪みは、金属部材10と、金属部材10と金属基体１との間および金属部材10とセラミック端子５との間の金属接合材11とが適度に塑性変形することによって吸収され、セラミック端子５に金属基体１との熱膨張差による引張応力が残留応力となって作用し続けるということがなくなり、セラミック端子５にクラック等の破損が発生するのを有効に防止できる。
【００６４】
セラミック端子５に接合される金属部材10の平面視における大きさは、図１（ｂ）に示すように、セラミック端子５の立壁部５ａの上面または平板部５ｂの下面の平面視における幅とほぼ同じ幅や、図３（ａ）に示すように、平面視における幅が平板部５ｂの下面とほぼ同じ幅の金属部材10が平板部５ｂの下面側に接合され、かつ立壁部５ａの上面の両角部のみを覆う幅の金属部材10が立壁部５ａの上面側の角部に接合される形態や、図３（ｂ）に示すように、立壁部５ａの両端角部のみを覆う幅の金属部材10が立壁部５ａの上面側の角部に接合され、かつ平板部５ｂの両端角部のみを覆う幅の金属部材10が平板部５ｂの下面側の角部に接合される形態とされる。
【００６５】
また、図３（ｃ）に示すように、セラミック端子５の両側面に少なくともセラミック端子５の側面とほぼ同じ幅の貫通孔１ａとの接合部を覆う金属部材10が接合される形態や、図３（ｄ）に示すように、セラミック端子５の一側面（図３（ｄ）の下方の側面）に少なくともセラミック端子５の側面の貫通孔１ａとの接合部を覆う幅の金属部材10が接合されるとともに金属部材10が接合されない側（図３（ｄ）の上方の側面）にはセラミック端子５の上下面の角部に金属部材10が接合されている形態とされる。
【００６６】
このように、少なくともセラミック端子５の各角部に位置する平板部５ｂおよび立壁部５ａの上下面または両側面に金属部材10の第２の側面10ａが、金属部材10の第1の側面10ｂがセラミック端子５の一側面５ｄと連続的に配置されるように接合されておればよく、図示した他にも本発明の趣旨の範囲内で種々の形状とすることができる。
【００６７】
また、図１（ａ）または図２に示されるように、金属部材10の上下方向の長さは、金属基体１の貫通孔１ａの長さ（すなわち金属基体１の厚み）以上であって、貫通孔１ａの内面とセラミック端子５との間に介在するように配置されればよく、セラミック端子５より長くても短くてもよい。
【００６８】
なお、図２に示す金属部材10の上下方向の長さがほぼ同じ形態において、セラミック端子５の上下面に接合される金属部材10の平面視における幅が同じものである場合、セラミック端子５に接合される金属部材10の面積を小さくすることができるとともに、セラミック端子５の上下面に接合される金属部材10の面積をほぼ同一とすることができ、さらに金属部材10が接合されるのはセラミック端子５が貫通孔１ａの内面に接合される側面に限定される構成となる。この構成により、金属部材10とセラミック端子５との接合面積を小さく抑えることができることから、セラミック端子５と金属部材10とを接合する際に、セラミック端子５に作用する金属部材10との熱膨張差による応力を小さく抑え、さらに金属部材10が接合されるのはセラミック端子５が貫通孔１ａの内面に接合される側面に限定されることから、セラミック端子５の破損し易い部位に金属部材10との熱膨張差による応力が作用するのを防止できる。
【００６９】
また、セラミック端子５の上下面に接合される金属部材10の面積をほぼ同一とすることができることから、セラミック端子５の上下面に接合される金属部材10の熱膨張によって、セラミック端子５に反り変形が生じるのを防止し、セラミック端子５に曲げ応力が作用するのを防止できる。
【００７０】
これらの結果、金属部材10との熱膨張差によってセラミック端子５にクラック等の破損が生ずるのを有効に防止できる。よって、セラミック端子５が小型化されセラミック端子５の機械的強度が低下した場合においてもクラック等の破損が生ずるのを防止できる構成となる。特にセラミック端子５の立壁部５ａと平板部５ｂが薄型化した場合に有効になる。
【００７１】
なお、図２においては、電子装置内部側の平板部５ｂの先端部に、電子部品２が半田等により載置固定され、その電極が線路導体５ｃの電子部品２側の先端とボンディングワイヤ９等を介して電気的に接続されている。
【００７２】
また、図１乃至図４に示される形態において、セラミック端子５の上下面または側面に金属部材10が設けられていることにより、線路導体５ｃに対する接地電位を強化し、線路導体５ｃのインピーダンスを特性インピーダンスに整合させ易くすることができ、線路導体５ｃを伝送する高周波信号の周波数が高くなっても、線路導体５ｃを伝送する高周波信号に透過損失等の伝送損失が生ずるのを抑制できる。
【００７３】
すなわち、平板部５ｂの上面に線路導体５ｃが複数本設けられる場合、平板部５ｂの上面に設けられる線路導体５ｃのうち高周波信号の伝送線路となるものの直下に線路導体５ｃと同じ長さ以上に金属部材10が配置されるようにするのがよい。この目的のために、高周波信号の伝送線路となる線路導体５ｃの位置によっては、セラミック端子５の側面の各角部のみに設けられた金属部材10の幅を異なるものとし、幅の広い金属部材10が高周波信号の伝送線路となる線路導体５ｃの上方および下方を覆うようにすることもできる。好ましくは、接地強化が必要な線路導体５ｃは、複数の線路導体５ｃの端になるように配置し、金属部材10の幅が異ならないようにするのがよい。
【００７４】
セラミック端子５の上面および下面にそれぞれ配設される金属部材10は、好ましくは、その厚みがそれぞれ立壁部５ａ，平板部５ｂの厚みよりも薄いのがよく、これにより立壁部５ａおよび平板部５ｂに対する金属部材１の体積が小さくなるので、立壁部５ａおよび平板部５ｂに金属部材10との熱膨張差による応力が大きく作用するのを防止できる。
【００７５】
さらに好ましくは、図示しないが、平板部５ｂの金属部材10の接合部に、金属部材10を収納可能な大きさの段差部を設けておき、金属部材10を平板部４ｃの段差部に接合した後に、金属部材10の下面と平板部５ｂの下面とが同一面となるようにするのがよい。この構成により、金属基体１の貫通孔１ａの形状を複雑にすることがなく、金属基体１を量産に適した形状とすることができる。
【００７６】
また、設計的に平板部５ｂの幅が広くなりすぎる場合は、両端に接合された金属部材10とは別の金属部材を金属部材10の間に接合してもよい。これにより、平板部５ｂの必要な部分の線路導体５ｃの高周波信号特性をよくすることができたり、クラック等の応力が集中しやすい場所に別の金属部材を設けたりすることができ、設計の自由度が増す。
【００７７】
以上のように金属部材10を用いることにより、パッケージ内部を気密に封止することができ、線路導体５ｃを介して高周波信号を効率良く伝送でき、パッケージ内部に収納する電子部品２を常に正常かつ安定に作動させることが可能なセラミック端子５となる。
【００７８】
そして、金属部材10との熱膨張差によってセラミック端子５にクラック等の破損が生ずるのを有効に防止できる。よって、セラミック端子５が小型化されセラミック端子５の機械的強度が低下した場合においてもクラック等の破損が生ずるのを防止できる構成となる。特にセラミック端子５の立壁部５ａと平板部５ｂが薄型化した場合に有効になる。
【００７９】
金属基体１の上側主面の外周部には、上端面３ａの中央部に貫通穴３ｂが形成され下端が開かれた筒状である蓋体３が設けられる。蓋体３の下端３ｃは、鉛（Ｐｂ）−錫（Ｓｎ）半田等の半田による半田付けや溶接等によって金属基体１と気密に接合される。下端３ｃは、金属基体１との接合面積を大きくして、金属基体１と蓋体３とで構成される容器内部の気密信頼性を向上させるために、図１（ａ）に示すような鍔状であることが好ましい。
【００８０】
蓋体３を金属基体１に接合させる際に、金属基体１の外周部に熱が加わり、金属基体１の外周部に蓋体３との熱膨張差による歪みが作用することとなるが、立壁部５ａの上面と貫通孔１ａの内面との間および平板部５ｂの下面と貫通孔１ａの内面との間に、好ましくは耐力が金属基体１の耐力以下である金属部材10が設けられるとともに、金属部材10と金属基体１との間、および金属部材10とセラミック端子５との間がロウ材等の金属接合材11により接合されていることにより、金属基体１に歪みが作用しても、立壁部５ａの上面と貫通孔１ａの内面との間および平板部５ｂの下面と貫通孔１ａの内面との間に設けられた耐力が金属基体１の耐力以下である金属部材10が適度に変形して、セラミック端子５と金属基体１との熱膨張差による歪みを吸収し、セラミック端子５に作用する金属基体１との熱膨張差による応力を緩和させることができる。また、金属部材10と金属基体１との間および金属部材10とセラミック端子５との間に位置する金属接合材11も適度に塑性変形して、セラミック端子５と金属基体１との熱膨張差による歪みを吸収し、セラミック端子５に作用する金属基体１との熱膨張差による応力を有効に緩和させることができる。
【００８１】
このようにして、金属基体１の歪みは、金属部材10と、金属部材10と金属基体１との間および金属部材10とセラミック端子５との間に位置する金属接合材11とが適度に変形することによって吸収され、セラミック端子５に作用するということがなくなり、セラミック端子５にクラック等の破損が発生するのを有効に防止できる。
【００８２】
蓋体３は、断面形状（横断面形状）が円形または長方形等の多角形の筒状であり、Ｆｅ−Ｎｉ−Ｃｏ合金等の金属のインゴットに圧延加工や打ち抜き加工等の従来周知の金属加工法を施すことによって所定形状に製作される。なお、蓋体３は、筒状部と上端面３ａが個々に製作され、それらをロウ付け、半田付け、溶接等によって接合したものであってもよい。
【００８３】
蓋体３には、貫通穴３ｂを塞ぐように貫通穴３ｂの上端面３ａ側開口の周囲に、透光性部材４がガラス接合や半田付け等により気密に接合される。透光性部材４は、ガラスやサファイア等から成る円板状，レンズ状，球状または半球状等のものであり、球状の場合周縁部で、円板状やレンズ状の場合一主面の外周部で、半球状の場合平面部の外周部で蓋体３に接合されている。
【００８４】
また、光ファイバ６は、Ｆｅ−Ｎｉ−Ｃｏ合金等の金属から成る円筒状の金属製固定部材７の上端面に固定されており、金属製固定部材７の下端面が蓋体３の外周面にレーザ溶接法等の溶接によって接合される。光ファイバ６が金属製固定部材７を介して透光性部材４の上方に固定される。これにより、光ファイバ６を介して内部に収容する電子部品２と外部との光信号の授受が可能となる。
【００８５】
本発明において、透光性部材４は貫通孔３ｂの上端面３ａ側開口の周囲に接合されるのが好ましく、この場合以下の点で有利である。すなわち、蓋体３の外周部に金属製固定部材７を溶接する際の熱が蓋体３に局所的に加わり、蓋体３の透光性部材４との接合面に熱膨張による引張応力が加わると、透光性部材４が蓋体３から剥がれ易くなるが、光半導体装置は内部を気密にするため外側から内側に気圧が加わるため、気圧によって透光性部材４が蓋体３に押し付けられて剥がれにくくなる。一方、透光性部材４が貫通穴３ｂの上端面３ａの裏面側開口の周囲に接合されていると、熱膨張による応力によって透光性部材４を剥がそうとする引張応力と気圧による圧力とが加わることにより、透光性部材４が蓋体３から容易に外れてしまうこととなる。
【００８６】
この電子装置は、本発明の電子部品収納用パッケージの電子部品２が搭載される搭載部に電子部品２を搭載し、電子部品２の電極を線路導体５ｃの一端に電気的に接続し、電子部品２の収納領域を気密封止するように電子部品収納用パッケージに蓋体３を接合することにより製品としての電子装置となる。この電子装置は、外部電気回路から線路導体５ｃの他端に供給される電気信号によって、例えば電子部品２に光を励起させ、この光を透光性部材４、光ファイバ６の順に透過させ、光ファイバ６を介して光信号を外部に伝送することによって、高速光通信等に使用される光半導体装置として機能する。
【００８７】
なお、本発明は上記実施の形態に限定されるものではなく、本発明の要旨を逸脱しない範囲内であれば種々の変更を施すことは何等差し支えない。例えば、上記実施の形態例は本発明のセラミック部材の接合構造を光半導体装置に適用させた場合の例について説明したが、これに限ることはなく、本発明のセラミック部材の接合構造およびこれを用いたセラミック端子５は、発光素子（ＬＥＤ），電界効果型トランジスタ（ＦＥＴ），集積回路素子（ＩＣ），コンデンサ，圧電素子等の電子部品２を収納する電子部品収納用パッケージおよび電子装置等にも適用することができる。
【００８８】
また、金属基体１と蓋体３とは平面視形状が円形である場合について示したが、これに限定されるものではなく、金属基体１と蓋体３との平面視形状が四角形，六角形，八角形，長円形等であってもよく、種々の形状とすることができる。
【図面の簡単な説明】
【００８９】
【図１】（ａ）は本発明のセラミック部材の接合構造を用いた電子部品収納用パッケージおよび電子装置の実施の形態の一例を示す断面図、（ｂ）は（ａ）の下面図である。
【図２】本発明のセラミック部材の接合構造を用いた電子部品収納用パッケージおよび電子装置の実施の形態の他の例を示す断面図である。
【図３】（ａ）、（ｂ）、（ｃ）、（ｄ）は本発明のセラミック部材の接合構造を用いた電子部品収納用パッケージおよび電子装置の実施の形態の他の例を示す下面図である。
【図４】（ａ）、（ｂ）は本発明のセラミック部材の接合構造を用いた電子部品収納用パッケージおよび電子装置の実施の形態の他の例を示す下面図である。
【図５】従来の電子部品収納用パッケージおよび電子装置の例を示す断面図である。
【符号の説明】
【００９０】
１：金属基体
１ａ：貫通孔
２：電子部品
５：セラミック端子
５ａ：立壁部
５ｂ：平板部
５ｃ：線路導体
５ｄ：一側面
５ｅ：他の側面
９：接続手段
10：金属部材
10ａ：第２の側面
10ｂ：第1の側面
11：金属接合材
【図１】
2006237240.tif 000003
【図２】
2006237240.tif 000004
【図３】
2006237240.tif 000005
【図４】
2006237240.tif 000006
【図５】
2006237240.tif 000007